(57)【特許請求の範囲】
【請求項１】
発音記号を含む学習データを記憶する学習用データベースと、
表示用の画面に画像データとして表示するために、放送信号に含まれる字幕データおよび前記学習用データベースに記憶された前記学習データを字幕処理する字幕処理部と、
予め記憶された発音記号別のデジタル音声データを用いて、前記学習データの中の単語に対応するアクセントの音声を合成すると共に、前記学習データに含まれる発音記号のアクセントに対応する出力音声の周波数を変調するために対応するアクセントに合うクロックパルスを発生させる複数の発振器を含む音声発生部と、
ユーザから音声学習の提供が要求されたときに、前記学習用データベースから該当する前記学習データを読み込んで、ユーザから要求された設定内容に当たる学習データおよびこれに対応する音声が出力されるように前記字幕処理部および前記音声発生部を制御する制御部と、
を備えることを特徴とする学習機能を有する映像機器。
【請求項２】
前記音声発生部は、
各発音記号別の音声データを記憶している発音記号音声記憶ＲＯＭと、
前記制御部の制御信号に従って前記発振器により生成されるクロックパルスの中の１つを選択して出力するための周波数スイッチと、
前記制御部により前記発音記号音声記憶ＲＯＭから選択出力される音声データを、前記周波数スイッチにより選択出力されたクロックパルスに従って合成する音声合成部と、
前記音声合成部の出力をアナログに変換して、オーディオスイッチに出力するためのＤ／Ａ変換器と、
を備えることを特徴とする請求項１に記載の学習機能を有する映像機器。
【請求項３】
発音記号を含む学習データを記憶する学習用データベースと、
表示用の画面に画像データとして表示するために、放送信号に含まれる字幕データおよび前記学習用データベースに記憶された前記学習データを字幕処理する字幕処理部と、
予め記憶された発音記号別のデジタル音声データを用いて、前記学習データの中の単語に対応するアクセントの音声を合成すると共に、前記学習データに含まれる発音記号のアクセントに対応する出力音声の周波数を変調するために対応するアクセントに合うクロックパルスを発生させる複数の発振器を含む音声発生部と、
ユーザにより音声学習の提供が要求されたときに、前記学習用データベースから該当する前記学習データを読み込み、要求された設定内容に当たる学習データおよびこれに対応する音声が出力されるように前記字幕処理部および前記音声発生部を制御する制御部と、
前記字幕処理部の字幕信号または前記学習データを入力すると共に、画面上に映像機器を制御するためのＯＳＤ信号を入力して、前記制御部の切換信号に従って前記字幕信号、前記学習データ、及び前記ＯＳＤ信号を選択的に出力させるビデオスイッチと、
前記ビデオスイッチからの出力と映像信号を入力すると共に、前記出力および映像信号を画面上に表示させるように映像信号処理する映像処理部と、
前記音声発生部からの出力と、音声信号をそれぞれ入力すると共に、前記制御部の切換信号に従って前記ビデオスイッチからの出力および前記映像信号を選択的に出力するオーディオスイッチと、
前記オーディオスイッチの出力がスピーカを介して出力可能になるように音声信号処理する音声信号処理部と、
を備えることを特徴とする学習機能を有する映像機器。
【発明の詳細な説明】
【０００１】
【発明の属する技術分野】
本発明は映像機器に関するもので、特に、学習機能を有する映像機器およびその制御方法に関する。
最近、各種の映像機器、そのうち最も代表的な例としてテレビジョン装置などは、本来の目的である映像および音声方法の外に、ユーザの多様な欲求を充足させるための種々の付加機能を追加して、製品の競争力を向上させるための努力が為されている。学習機能も上述の種々の付加機能中の１つであって、各種の映像機器に適用されている。
【０００２】
【従来の技術】
従来の技術による学習機能を有する映像機器の一例としてのテレビジョン装置は図９に示すように、アンテナを介して受信されるＣＶＢＳ（Composite Video Blanking Signal)、即ち、複合映像信号を選局するためのチューナ１、チューナ１を介して選局された複合映像信号のうち放送信号をＹ／Ｕ／Ｖ信号に分離するＹ／Ｃ分離部２、チューナ１を介して選局された放送信号から同期信号を分離する同期信号分離部３、同期信号分離部３から分離された同期信号に従ってＯＳＤまたはキャプションデータの表示を制御するマイクロコンピュータ４と、動作プログラムなどを記憶させておくためのＥＥＰＲＯＭ（Electrically Erasable ＆ Programmable Read-Only Memory）５と、マイクロコンピュータ４のスイッチング信号によりＯＳＤまたはキャプションデータを選択して出力させるビデオスイッチ６と、映像処理および偏向処理を行なう映像／偏向処理部７と、表示部としてのＣＰＴ（Color Picture Tube）８と、チューナ１を介して選局された放送信号のうちキャプション情報を処理するキャプション処理部９と、学習レベル別に所定の単語データを記憶している学習用データベース１１と、キャプション処理部９と学習用データベース１１間のデータ交換のためのインターフェース部１０とを含んで構成されている。
【０００３】
ここで、キャプション処理部９は、同期信号分離部３から出力された同期信号に従って、チューナ１により選局された放送信号からキャプション情報を抽出するデータスライサ（Date  Slicer）１２と、キャプション情報処理を制御するキャプション制御部１４と、キャプション情報を復号化するキャプションデコーダ１３と、英語，ハングル語および日本語等の言語に対応するフォントとフォント処理プログラム等を格納するフォントＲＯＭ／プログラムＲＯＭ／データＲＡＭ１５から構成されている。
【０００４】
このように構成された従来技術に係る映像機器における学習機能を実行する動作について以下に説明する。
ユーザが学習機能を「オン」にすると、マイクロコンピュータ４はユーザからの学習機能の設定内容、即ちユーザが設定した学習レベル、スタート番号または表示位置などに対応するデータのアドレスを指定してキャプション制御部１４に制御信号を供給し、該当するデータを学習用データベース１１から読み込む。
したがって、キャプション制御部１４は、フォントＲＯＭ／プログラムＲＯＭ／データＲＡＭ１５から設定されたデータに対応するフォントをマッチングさせて学習データを読み込み、読み込んだ学習データをインターフェース部１０を介してビデオスイッチ６に入力させる。
【０００５】
次いで、マイクロコンピュータ４はビデオスイッチ６に制御信号を出力してスイッチをオンさせて、該当する学習用データが映像／偏向処理部７に出力されるようにし、該当する学習用データである単語が、映像／偏向処理部７を経由してＣＰＴ８上に出力される。
【０００６】
一方、放送信号に含まれてチューナ１により受信された音声信号は、トーン調節部１６およびアンプ１７を経由して信号処理され、該当する映像に同期させられてスピーカ１８を介して音声として出力される。
【０００７】
しかし、このような従来の技術による学習機能を有する映像機器は所定の単語だけが画面上に表示され、その単語に対応する音声が出力されないため、単語に該当する発音を聞くことはできない。したがって、ユーザの学習意欲を満足させることができないことは勿論として、ユーザが学習する能率を低下させるという問題があった。
【０００８】
【発明が解決しようとする課題】
本発明は、上述した従来の問題点を解決するために為されたものであって、学習用単語を画面上に表示すると同時に、その単語に対応する音声をその単語に同期して出力させることにより、学習能率を高めることができるようにした学習機能を有する映像機器およびその制御方法を提供することを目的としている。
【０００９】
【課題を解決するための手段】
上記目的を達成するために、本発明の第１の基本構成に係る学習機能を有する映像機器は、発音記号を含む学習データを記憶する学習用データベースと、表示用の画面に画像データとして表示するために、放送信号に含まれる字幕データおよび前記学習用データベースに記憶された前記学習データを字幕処理する字幕処理部と、予め記憶された発音記号別のデジタル音声データを用いて、前記学習データの中の単語に対応するアクセントの音声を合成すると共に、前記学習データに含まれる発音記号のアクセントに対応する出力音声の周波数を変調するために対応するアクセントに合うクロックパルスを発生させる複数の発振器を含む音声発生部と、ユーザから音声学習の提供が要求されたときに、前記学習用データベースから該当する前記学習データを読み込んで、ユーザから要求された設定内容に当たる学習データおよびこれに対応する音声が出力されるように前記字幕処理部および前記音声発生部を制御する制御部と、を備えることを特徴とする。
また、上記第１の基本構成に係る学習機能を有する映像機器において、前記音声発生部は、各発音記号別の音声データを記憶している発音記号音声記憶ＲＯＭと、前記制御部の制御信号に従って前記発振器により生成されるクロックパルスの中の１つを選択して出力するための周波数スイッチと、前記制御部により前記発音記号音声記憶ＲＯＭから選択出力される音声データを、前記周波数スイッチにより選択出力されたクロックパルスに従って合成する音声合成部と、前記音声合成部の出力をアナログに変換して、オーディオスイッチに出力するためのＤ／Ａ変換器と、を備えるようにしても良い。
【００１０】
また、本発明の第２の基本構成に係る学習機能を有する映像機器は、発音記号を含む学習データを記憶する学習用データベースと、表示用の画面に画像データとして表示するために、放送信号に含まれる字幕データおよび前記学習用データベースに記憶された前記学習データを字幕処理する字幕処理部と、予め記憶された発音記号別のデジタル音声データを用いて、前記学習データの中の単語に対応するアクセントの音声を合成すると共に、前記学習データに含まれる発音記号のアクセントに対応する出力音声の周波数を変調するために対応するアクセントに合うクロックパルスを発生させる複数の発振器を含む音声発生部と、ユーザにより音声学習の提供が要求されたときに、前記学習用データベースから該当する前記学習データを読み込み、要求された設定内容に当たる学習データおよびこれに対応する音声が出力されるように前記字幕処理部および前記音声発生部を制御する制御部と、前記字幕処理部の字幕信号または前記学習データを入力すると共に、画面上に映像機器を制御するためのＯＳＤ信号を入力して、前記制御部の切換信号に従って前記字幕信号、前記学習データ、及び前記ＯＳＤ信号を選択的に出力させるビデオスイッチと、前記ビデオスイッチからの出力と映像信号を入力すると共に、前記出力および映像信号を画面上に表示させるように映像信号処理する映像処理部と、前記音声発生部からの出力と、音声信号をそれぞれ入力すると共に、前記制御部の切換信号に従って前記ビデオスイッチからの出力および前記映像信号を選択的に出力するオーディオスイッチと、前記オーディオスイッチの出力がスピーカを介して出力可能になるように音声信号処理する音声信号処理部と、を備えることを特徴とする。
【００１６】
以下、添付の図面を参照しながら本発明の第１および第２実施形態に係る学習機能を有する映像機器およびその制御方法について詳細に説明する。
（第１実施形態）
本発明のよる学習機能を有する映像機器は、図２に示すように、学習用データベース１１に記憶された学習データ、例えば英単語に当たる音声を合成して出力する音声発生部１９と、マイクロコンピュータ４の制御信号に従って音声発生部１９から出力された音声と放送信号に含まれた音声の中から何れか１つを選択して出力するオーディオスイッチ２８と、を除いては、従来の技術の構成と同一であるので、同一構成要素に対しては従来技術と同一符号を付し、重複説明を省略する。
【００１７】
ここで、音声発生部１９は各英単語の発音記号別音声データを記憶する発音記号音声記憶ＲＯＭ２０と、学習データの発音記号に表れたアクセントに合うよう出力音声の周波数を変調するために、アクセント別クロックパルスを発生させる第１，第２，第３発振器２１、２２、２３と、キャプション制御部１４の制御信号に従って前記第１ないし第３発振器２１ないし２３のクロックパルスのうちから１つを選択して出力するための周波数スイッチ２４と、前記キャプション制御部１４により発音記号音声記憶ＲＯＭ２０から選択出力される音声データを、前記周波数スイッチ２４により選択出力されたクロックパルスに対応するアクセントを付与して合成する音声合成部２５と、前記音声合成部２５の出力をアナログに変換するためのＤ／Ａ変換器２６およびＤ／Ａ変換器２６の出力を緩衝させて、前記オーディオスイッチ２８に出力するためのバッファ２７とから構成されている。
【００１８】
そして、前記発音記号音声記憶ＲＯＭ２０には、図２に示すような発音記号別音声データが、該当する音声データの検索を容易にするためのインデックスデータと共に、図３に示すような形式により記憶されている。
【００１９】
このように構成された本発明の第１実施形態に係る映像機器における学習機能を実行する方法について、図１を参照しながら以下に説明する。
ユーザによって学習モードが設定され、音声学習モードが設定されない場合は（Ｓ２２）、ユーザの設定内容に対応する学習データ、つまり、意味、発音記号などが含まれた英単語が前記学習用データベース１１からインターフェース部１０を経由してキャプション制御部１４へ伝送され、キャプション制御部１４の制御によってキャプション処理され、ビデオスイッチ６を経由してＣＰＴ８の画面上に表示される（Ｓ２３）。
【００２０】
一方、ユーザが音声学習モードを設定すると（Ｓ２２）、マイクロコンピュータ４の制御信号に従ってキャプション制御部１４から前記学習データに含まれた各英単語の発音記号を読み込み、その発音記号の各音素別ディジタル音声データを前記発音記号音声記憶ＲＯＭ２０から読み込んで音声合成部２５に供給する（Ｓ２４）。
そして、キャプション制御部１４は、マイクロコンピュータ４の制御に基づいて、その英単語の映像データに同期させて、英単語の発音記号に対応するアクセントを表現して音声合成部２５を介して出力するように前記周波数スイッチ２４を制御する（Ｓ２５）。
【００２１】
即ち、図１において、キャプション制御部１４が前記周波数スイッチ２４に制御信号を印加して、対応するアクセントに合うクロックパルスを音声合成部２５に印加し、音声合成部２５は順次入力される各発音記号音素別音声データが第１および第２アクセントを表現できるように、第１ないし第３発振器２１、２２、２３から供給されるクロックパルスに従い音声データを合成して出力する。
このとき、出力される英単語音声データにアクセントを表現する他の方法として、出力される音声データのレベルを調節し各音素別ボリュームレベルを変化させることにより、第１および第２アクセントを表現することもできる。
【００２２】
次いで、音声合成部２５から出力されたディジタル音声データがＤ／Ａ変換器２６を介してアナログ音声データに変換され、バッファ２７を経由してオーディオスイッチ２８に入力される。そして、オーディオスイッチ２８はマイクロコンピュータ４の制御信号に従って前記バッファ２７から出力された音声データを出力する。
【００２３】
次いで、前記オーディオスイッチ２８から出力された音声データはトーン調節部１６によりその音質が調整され、アンプ１７により増幅されて、スピーカ１８を介して前記画面上に表示される英単語に同期して出力される。したがって、ユーザは英単語およびそれに当たる発音を同時に聴取することができる。また、本発明は音声学習機能をテレビジョン装置に適用した例であって、セットトップボックスを含む各種の映像機器に基本的なキャプション機能や学習機能を連携させて構成することにより容易に適用することができる。
【００２４】
（第２実施形態）
本発明の第２実施形態による学習機能を有する映像機器としてのテレビジョン受像装置は、図５に示すように、所定の単語データを記憶するための単語データベース１２０と、外部の映像信号に含まれたキャプションデータまたは前記単語データベース１２０に記憶された単語データをキャプション処理するための字幕処理部１１０と、前記字幕処理部１１０と単語データベース１２０のデータ交換のためのインターフェース部１３０と、前記単語データを発音可能な文字列に変換して分析し、韻律処理された音を合成するための音声発生部１４０と、ユーザの音声学習機能の要求時に、単語データベース１２０から該当単語データを読み込み前記字幕処理部１１０を介してキャプション処理されるようにし、前記キャプション処理された単語データに対応する音声が出力されるように前記音声発生部１４０を制御するマイクロコンピュータ７０と、前記マイクロコンピュータ７０の動作プログラムなどを記憶するためのＥＥＰＲＯＭ６０と、前記字幕処理部１１０から出力された映像信号と前記マイクロコンピュータ７０から出力された映像信号または外部の映像信号を画面上に表示可能なように信号処理する映像処理部３０と、前記映像処理部３０により処理された信号出力を表示するＣＰＴ４０と、前記音声発生部１４０の出力と外部の音声信号を前記マイクロコンピュータ７０の制御によって選択的に出力させるオーディオスイッチ１００と、前記オーディオスイッチ１００の出力をスピーカ９０により出力可能なように信号処理する音声処理部８０と、を含んで構成されている。
【００２５】
このとき、字幕処理部１１０は外部の映像信号からキャプション情報を抽出するためのデータスライサ１１１と、前記キャプション情報を復号化するためのキャプションデコーダ１１２と、単語を表現するためのフォントとフォント処理プログラムおよび現在画面上に表示されるキャプション情報の中のユーザの記憶命令に対応するキャプション情報を記憶するためのメモリ部１１４と、前記マイクロコンピュータ７０の制御によって所定のキャプション情報を前記メモリ部１１４に記憶したり、メモリ部１１４から読み込んで前記音声発生部１４０へ伝送し、データスライサ１１１およびキャプションデコーダ１１２の動作を制御するためのキャプション制御部１１３とから構成されている。
【００２６】
そして、音声発生部１４０は各発音別特徴パラメータを記憶するための音声データベース１４１と、前記単語データを発音可能な文字列に変換して分析し、韻律処理してこれに対応する特徴パラメータを前記音声データベース１４１から読み込んでディジタル音声信号を生成するための音声プロセッサ１４２と、前記音声プロセッサ１４２から生成したディジタル音声信号をアナログ音声信号に変換するためのＤ／Ａ変換部１４３およびＤ／Ａ変換部１４３からの出力を緩衝するためのバッファ１４４とから構成されている。
【００２７】
このとき、音声プロセッサ１４２は、図６に示すように、単語データのうちの数字、アルファベット、略字、特殊記号などを発音可能な文字列に定型化するための文字列定型化部１４２−１と、前記定型化した文字列を分析して句および節の境界点を検出し、多重発音単語の発音を設定するための文字列分析部１４２−２と、前記文字列分析部１４２−２から出力された文字列で音節間の連結による発音の変動時、変動した発音に合うように発音記号を変換処理するための発音記号処理部１４２−３と、前記発音記号処理部１４２−３から出力された文字列に長さ、強さおよび抑揚の韻律を付与するための韻律処理部１４２−４と、前記韻律処理部１４２−４から出力された文字列の発音に当たる特徴パラメータを前記音声データベース１４１から読み込んで、それに従うディジタル音声信号を合成するための音声生成部１４２−５とから構成されている。
【００２８】
また映像処理部３０は、アンテナを介して受信される放送信号を選局するためのチューナ３１と、チューナ３１により選局されたＣＶＢＳ（Composite Video Blanking Signal）、即ち複合映像信号のうち放送信号をＹ／Ｕ／Ｖ信号に分離するＹ／Ｃ分離部３２と、チューナ３１により選局された放送信号から同期信号を分離する同期信号分離部３３と、映像処理および偏向処理を行なう映像／偏向処理部３４と、から構成されている。そして、音声処理部８０はトーン調節部８１とアンプ８２とを含んで構成されている。
【００２９】
以下、このように構成された本発明の第２実施形態に係る映像機器の学習機能を実行する方法を図７および図８のフローチャートを参照して説明する。
まず、ユーザは学習機能を行なうために、テレビジョン装置のキーまたはリモコンを操作して、学習機能「オン」命令を入力する。すると、マイクロコンピュータ７０は、図７に示すように、学習機能が「オン」となっているか否かを判断する（Ｓ４１）。
【００３０】
次いで、前記の判断結果（Ｓ４１）、学習機能が「オン」されていれば、ユーザによって設定された学習設定値、つまり、学習レベル／スタート位置／表示位置などを把握する（Ｓ４２）。そして、前記学習設定値に当たるアドレスの単語データを単語データベース１２０から読み込む（Ｓ４３）。
【００３１】
次いで、マイクロコンピュータ７０は字幕処理部１１０を制御して、前記単語データを該当フォントに合うようにキャプション処理し、映像処理部３０を介して映像処理して、ＣＰＴ４０を介して表示されるようにする（Ｓ４４）。これと同時にマイクロコンピュータ７０は音声発生部１４０が前記キャプション制御部１１０を介して単語データを伝送してもらえるようにする。これによって、音声発生部１４０は前記単語データを発音可能な文字列に変換して分析した後、韻律処理する（Ｓ４５）。
そして、音声発生部１４０は韻律処理された文字列を音声データベース１４１に記憶された該当発音別特徴パラメータを用いて音声合成し、スピーカに出力する（Ｓ４６）。
【００３２】
このとき音声発生部１４０の詳細な動作を以下に説明する。
即ち、文字列定型化部１４２−１が前記単語データのうち数字、アルファベット、略字、特殊記号を発音可能な文字列に定型化する。
【００３３】
次いで、文字列分析部１４２−２は前記定型化した文字列を分析して句および節の境界点を検出し、二つ以上の発音を有する単語の適正発音を選定する。
【００３４】
そして、発音記号処理部１４２−３が前記文字列分析部１４２−２から出力された文字列で音節間の連結による発音の変動時、変動した発音に合うように発音記号を校正する。
【００３５】
次いで韻律処理部１４２−４は前記発音記号処理部１４２−３から出力された文字列に長さと強さおよび抑揚などの韻律を付与する。
【００３６】
そして、音生成部１４２−５が前記韻律処理された文字列とその発音に当たる特徴パラメータ、つまり、周波数、帯域幅およびエネルギー情報を合成してデジタル音声データを生成する。
【００３７】
次いで、前記デジタル音声データはＤ／Ａ変換器１４３を介してアナログ音声に変換し、バッファ１４４を介してスピーカ９０に出力されるのである。
【００３８】
このように音声出力動作が完了すると、前記画面上に表示された単語の表示周期が設定周期に到達しているかを判断して（Ｓ４７）、到達していれば単語のスタート番号を増加させ（Ｓ４８）、表示された単語番号が終了設定番号であるか否かを判断する（Ｓ４９）。
【００３９】
次いで、前記の判断結果（Ｓ４９）、単語番号が終了設定番号であれば、最初のスタート番号に復帰して（Ｓ５０）、前記段階（Ｓ４３）に復帰する。
【００４０】
一方、前記の判断結果（Ｓ４１）、学習機能が「オン」されていない場合は、学習機能「オフ」命令が入力されているかを判断して（Ｓ５１）、学習機能「オフ」命令が入力されていれば、学習設定値および現在の進行状態を記憶し（Ｓ５２）、単語および音声出力を中止させる（Ｓ５３）。また、学習機能「オフ」命令が入力されていなければ、対応する指令を処理する（Ｓ５４）。
【００４１】
また、本発明は表示される単語を必要時に記憶して、希望の時間に該当音声と共に再生させることができる。これを図８に基づいて以下に説明する。
まず、ユーザの所望時に、映像機器、例えばテレビジョン受像装置のキーまたはリモコンのキーを操作して、単語記憶命令または単語再生命令を入力することができる。
したがって、マイクロコンピュータ７０は、図８に示すように、単語記憶命令が入力されるかを判断して（Ｓ６１）、単語記憶命令が入力されると、該当単語を字幕処理部１１０のメモリ部１１４に記憶させる（Ｓ６２）。
【００４２】
一方、前記の判断結果（Ｓ６１）、単語記憶命令が入力されていない場合は、単語再生命令が入力されるかを判断して（Ｓ６３）、単語再生命令が入力されると、前記キャプション制御部１１３を制御して、前記メモリ部１１４に記憶された単語を読み込むようにする（Ｓ６４）。
【００４３】
次いで、字幕処理部１１０を制御して、前記単語データを該当フォントに合うようにキャプション処理し、映像処理部３０により映像処理して、ＣＰＴ４０の画面上に表示されるようにする（Ｓ６５）。
それと同時に、音声発生部１４０は前記単語データがキャプション制御部１１３を介して伝送されるようにし、図７を用いて説明したように、前記単語データを発音可能な文字列に変換して分析した後、韻律処理する（Ｓ６６）。また、音声発生部１４０は韻律処理した文字列を音声データベース１４１に記憶された該当発音別特徴パラメータを用いて音声合成して、スピーカを介して出力する（Ｓ６７）。
【００４４】
なお、上述した第１および第２実施形態に係る学習機能を有する映像機器においては、学習対象としての言語は英語を例にとって説明したが、本発明はこれに限定されず例えばハングル語を学習する場合や日本語を学習する場合であっても本発明を適用することができ、また、その他の言語、例えば中国語、ロシア語、アラビア語、スペイン語、フランス語、ドイツ語等のあらゆる言語に対して適用することができる。
【００４５】
以上説明した第１および第２実施形態は本発明を学習機能をテレビジョン装置に適用した例であったが、本発明はこれにも限定されず、セットトップボックスを含む各種の映像機器に基本的なキャプション機能および学習機能を連携させて構成することにより、他の映像機器に対しても容易に適用することができる。
【００４６】
【発明の効果】
また、本発明に係る学習機能を有する映像機器およびその制御方法は例えば英単語などの学習対象としての単語とこれに対応する音声を出力することにより、ユーザの学習能率を高めると共に学習意欲を鼓吹させることができ、他製品と差別化することによって製品の市場における競争力を向上させることができる等の種々の効果がある。
【図面の簡単な説明】
【図１】本発明の第１実施形態に係る学習機能を有する映像機器の構成を示すブロック図。
【図２】本発明の第１実施形態による映像機器の発音記号テーブルを示す説明図。
【図３】本発明の第１実施形態による発音記号音声データおよびインデックスデータの記憶形式を示す説明図。
【図４】本発明の第１実施形態に係る学習機能を有する映像機器の制御方法を示すフローチャート。
【図５】本発明の第２実施形態に係る学習機能を有する映像機器の構成を示すブロック図。
【図６】図５の音声プロセッサにおける細部の構成を示すブロック図。
【図７】本発明の第２実施形態に係る学習機能を有する映像機器の制御方法を示すフローチャート。
【図８】本発明の第２実施形態による学習機能を有する映像機器の制御方法における単語記憶および再生方法を示すフローチャート。
【図９】従来の技術による学習機能を有する映像機器の構成を示すブロック図。
【符号の説明】
４  マイクロコンピュータ
６  ビデオスイッチ
８  ＣＰＴ
９  キャプション処理部
１１  学習用インターフェース
１４  キャプション制御部
１６  トーン調節部
１８  スピーカ
１９  音声発生部
２０  発音記号音声記憶ＲＯＭ
２１  第１発振器
２２  第２発振器
２３  第３発振器
２４  周波数スイッチ
２５  音声合成部
２８  オーディオスイッチ
４０  ＣＰＴ
５０  ビデオスイッチ
７０  マイクロコンピュータ
８０  音声処理部
８１  トーン調節部
９０  スピーカ
１１０  字幕処理部
１１３  キャプション制御部
１２０  単語データベース
１４０  音声発生部
１４１  音声データベース
１４２  音声プロセッサ
【図１】
0004034025.tif 000002
【図２】
0004034025.tif 000003
【図３】
0004034025.tif 000004
【図４】
0004034025.tif 000005
【図５】
0004034025.tif 000006
【図６】
0004034025.tif 000007
【図７】
0004034025.tif 000008
【図８】
0004034025.tif 000009
【図９】
0004034025.tif 000010